(57)【要約】【課題】遊技の進行中に発生する異常を厳しく監視することが可能な遊技台を提供する。【解決手段】判定フラグがオンである場合には、当選役決定処理で決定した当選役が、入賞役決定処理で決定した入賞役と一致するか否かを判定する（ステップＳ９１，Ｓ９２）。当選役と入賞役が一致しないときは、当選役決定処理で決定した当選役が、予め定めた特定の役（ハズレ以外の役；例えば、ベルの小役、リプレイなど）であるか否かを判定し、予め定めた特定の役である」場合には、さらに入賞役決定処理で決定した入賞役がハズレであるか否かを判定し、入賞役がハズレであるときは、誤入賞エラーと判定する（ステップＳ９３，Ｓ９４）。【選択図】図１２
2007307108.tif 000002
【特許請求の範囲】
【請求項１】
当選役を決定する当選役決定手段と、
図柄を変動表示する図柄表示手段と、
遊技者の図柄停止操作および前記当選役決定手段が決定した当選役に基づいて、前記図柄表示手段による図柄の変動表示を停止させる図柄停止手段と、
前記当選役決定手段が特定の役を当選役として決定した遊技において、前記図柄表示手段の表示結果が前記特定の役に対応しない場合に、誤入賞エラーと判定する誤入賞エラー判定手段と、
を備えたことを特徴とする遊技台。
【請求項２】
遊技開始を指示する遊技開始信号を出力する遊技開始指示手段と、
前記遊技開始指示手段が出力した前記遊技開始信号を入力した場合に、当選役を決定する当選役決定手段と、
複数種類の図柄を順次繰り返し変動表示する複数の図柄表示手段と、
前記遊技開始指示手段が出力した前記遊技開始信号を入力した場合に、前記複数の図柄表示手段の変動表示を開始する変動表示開始手段と、
前記複数の図柄表示手段それぞれに対応し、前記複数の図柄表示手段による図柄の変動表示を個別に停止指示する停止指示信号を出力する停止指示手段と、
前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段と、
前記複数の図柄表示手段の所定の入賞ラインに沿って停止表示した図柄の組合せに対応する役を入賞役として決定する入賞役決定手段と、
前記入賞役決定手段が決定した入賞役に基づいて、遊技価値を付与する遊技価値付与手段と、
前記当選役決定手段が当選役として特定の役を決定した遊技において、前記入賞役決定手段が前記特定の役とは異なる役を入賞役として決定した場合には、誤入賞エラーと判定する誤入賞エラー判定手段と、
を備えたことを特徴とする遊技台。
【請求項３】
前記図柄表示手段は、
外周表面に複数種類の前記図柄を等間隔に配置した回転リールであり、
前記回転リールは、一定方向に回転することにより、前記図柄を順次繰り返し変動表示し、
前記変動表示停止手段は、
前記停止指示信号を入力した場合に、前記停止指示信号が示す停止指示位置から予め定められた最大コマ数の範囲内で、前記回転リールを滑らせて停止制御する引き込み制御手段を備えていることを特徴とする請求項２記載の遊技台。
【請求項４】
前記当選役決定手段が当選役として前記特定の役を決定した遊技において、前記引き込み制御手段が、前記特定の役に対応する前記図柄の組合せを構成する図柄を前記入賞ラインに沿って、常に停止表示させることができる間隔で、前記特定の役に対応する前記図柄の組合せを構成する図柄を前記回転リールの外周表面に配置していることを特徴とする請求項３記載の遊技台。
【請求項５】
前記誤入賞エラー判定手段は、
前記変動表示手段が停止表示させたいずれかの前記図柄表示手段の図柄が、前記特定の役に対応する図柄組合せを構成する図柄でない場合には、誤入賞エラーと判定することを特徴とする請求項２乃至４のいずれか１項に記載の遊技台。
【請求項６】
遊技開始を指示する遊技開始信号を出力する遊技開始指示手段と、
前記遊技開始指示手段が出力した前記遊技開始信号を入力した場合に、当選役を決定する当選役決定手段と、
複数種類の図柄を順次繰り返し変動表示する複数の図柄表示手段と、
前記遊技開始指示手段が出力した前記遊技開始信号を入力した場合に、前記複数の図柄表示手段の変動表示を開始する変動表示開始手段と、
前記複数の図柄表示手段それぞれに対応し、前記複数の図柄表示手段による図柄の変動表示を個別に停止指示する停止指示信号を出力する停止指示手段と、
前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段と、
前記複数の図柄表示手段の所定の入賞ラインに沿って停止表示した図柄の組合せに対応する役を入賞役として決定する入賞役決定手段と、
前記入賞役決定手段が決定した入賞役に基づいて、遊技価値を付与する遊技価値付与手段と、
前記当選役決定手段が決定した当選役を報知する当選役報知手段と、
前記当選役決定手段が当選役として特定の役を決定し、かつ前記当選役報知手段が、前記変動表示停止手段が前記複数の図柄表示手段を停止表示させる以前に当選役を報知した遊技において、前記入賞役決定手段が前記特定の役とは異なる役を入賞役として決定した場合には、誤入賞エラーと判定する誤入賞エラー判定手段と、
を備えたことを特徴とする遊技台。
【請求項７】
遊技開始を指示する遊技開始信号を出力する遊技開始指示手段と、
乱数を生成する乱数生成手段と、
当選役として決定する乱数の範囲を、複数種類の役について設定した当選判定情報と、
前記特定の役を当選役として決定する乱数の範囲が第１の数値範囲と設定された第１の当選判定情報、および前記特定の役を当選役として決定する乱数の範囲が前記第１の数値範囲よりも数値範囲の狭い第２の数値範囲である第２の当選判定情報を含む複数の前記当選判定情報を記憶した当選判定情報記憶手段と、
前記遊技開始指示手段が出力した前記遊技開始信号を入力した場合に、前記当選判定情報記憶手段に記憶されている当選判定情報と前記乱数生成手段が生成した乱数を照合して当選役を決定する当選役決定手段と、
複数種類の図柄を順次繰り返し変動表示する複数の図柄表示手段と、
前記遊技開始指示手段が出力した前記遊技開始信号を入力した場合に、前記複数の図柄表示手段の変動表示を開始する変動表示開始手段と、
前記複数の図柄表示手段それぞれに対応し、前記複数の図柄表示手段による図柄の変動表示を個別に停止指示する停止指示信号を出力する停止指示手段と、
前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段と、
前記複数の図柄表示手段の所定の入賞ラインに沿って停止表示した図柄の組合せに対応する役を入賞役として決定する入賞役決定手段と、
前記入賞役決定手段が決定した入賞役に基づいて、遊技価値を付与する遊技価値付与手段と、
前記当選役決定手段が前記第２の当選判定情報を前記照合に用いて、ボーナス役を当選役として決定し、前記入賞役決定手段が前記ボーナス役を入賞役として決定した場合に、前記第１の当選判定情報を、特定の遊技期間、前記当選役決定手段が前記照合に用いる前記当選判定情報として、選択する当選判定情報選択手段と、
前記当選役決定手段が当選役として特定の役を決定した遊技において、前記入賞役決定手段が前記特定の役とは異なる役を入賞役として決定した場合には、誤入賞エラーと判定する誤入賞エラー判定手段と、
前記特定の遊技期間中に、前記誤入賞エラー判定手段が誤入賞エラーと判定した場合には、判定結果を前記特定の遊技期間が終了後、所定の報知手段から出力させるエラー報知制御手段と、
を備えたことを特徴とする遊技台。
【発明の詳細な説明】
【技術分野】
【０００１】
本発明は、スロットマシン(パチスロ)に代表される遊技台に関する。
【背景技術】
【０００２】
例えば、パチスロ機は、正面の表示窓内に複数の図柄を変動表示する回転リールを複数配列して構成した変動表示装置を有する。遊技者のスタート操作に応じて、制御手段が変動表示装置を駆動制御して各リールを回転させることにより、図柄を変動表示させ、自動的にあるいは遊技者の停止操作により、各リールの回転を停止させる。このとき、表示窓内に表示された各リールの図柄が特定の組合せ（入賞態様）になった場合にメダル等の遊技媒体を払出すことで遊技者に利益を付与する。
【０００３】
また、現在、主流の機種においては、有効化された入賞ライン（以下「有効ライン」という） に沿って所定の図柄の組合せが並んでメダルやコイン等が払出される入賞となるためには、内部的な抽選処理（以下「内部抽選」という） により役に当選（以下「内部当選」という）し、且つその内部当選した役（以下「内部当選役」という）の入賞を示す図柄組合せを有効ライン上に停止できるタイミングで遊技者が停止操作を行うことが要求される。つまり、いくら内部当選したとしても、遊技者の停止操作のタイミングが悪いと内部当選役を入賞させることができない。すなわち、停止操作をタイミングよく行う技術が要求される遊技台が現在の主流である。
【０００４】
このような遊技台の遊技進行を制御する制御基板は、複雑な制御が必要であり、また静電気ノイズなどによる悪影響や不正な行為により制御プログラム・制御回路に悪意のある細工がなされるケースなども無視できないことから、遊技の進行制御が正常におこなわれているかを監視する必要がある（例えば、特許文献１の、参照。）。
【０００５】
【特許文献１】特開２００５−３３４３９９号公報
【発明の開示】
【発明が解決しようとする課題】
【０００６】
遊技の進行制御に関しては、異常が発生しても、何の対処もせずに制御を進行させてしまうと、遊技者に違和感を与え、不快感を感じさせてしまうおそれがあるので、より厳しく監視することが求められている。
【０００７】
本発明は上記の事情を鑑みてなされたものであり、遊技の進行中に発生する異常を厳しく監視することが可能な遊技台を提供することを目的とする。
【課題を解決するための手段】
【０００８】
上記目的を達成するため、本発明に係る遊技台は、次のように構成される。
【０００９】
本発明に係る遊技台は、その一態様として、当選役を決定する当選役決定手段と、図柄を変動表示する図柄表示手段と、遊技者の図柄停止操作および前記当選役決定手段が決定した当選役に基づいて、前記図柄表示手段による図柄の変動表示を停止させる図柄停止手段と、前記当選役決定手段が特定の役を当選役として決定した遊技において、前記図柄表示手段の表示結果が前記特定の役に対応しない場合に、誤入賞エラーと判定する誤入賞エラー判定手段と、を備えたことを特徴とする。
【発明の効果】
【００１０】
本発明によれば、遊技の進行中に発生する異常を厳しく監視することができる。
【発明を実施するための最良の形態】
【００１１】
以下、本発明の実施の形態について図面を用いて説明する。本発明の実施形態においては、本発明を遊技台の一例であるスロットマシンに適用した場合について説明している。
【００１２】
＜全体構成＞
図１は、本発明の一実施形態に係るスロットマシン１００の外観斜視図である。スロットマシン１００は、メダルの投入により遊技が開始され、遊技の結果によりメダルが払い出されるものである。
【００１３】
＜全体構成＞
スロットマシン１００の本体１０１の中央内部には、外周面に複数種類の図柄（「ベル」、「スイカ」、「チェリー」等：図示省略）が配置されたリールが３個（左リール１１０、中リール１１１、右リール１１２）収納され、スロットマシン１００の内部で回転できるように構成されている。本実施形態において、各図柄は帯状部材に等間隔で適当数印刷され、この帯状部材が所定の円形枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組合せが変動することとなる。なお、本実施形態では、３個のリールをスロットマシン１００の中央内部に備えているが、リールの数やリールの設置位置はこれに限定されるものではない。
【００１４】
また、各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。また、各々のリール１１０乃至１１２の左右両側には、それぞれ複数のライン表示ＬＥＤ（図示省略）が配置されており、例えば、７色（赤、緑、青紫の三原色と、白色等をはじめとするこれらの混合色）の光を発することが可能であり、各原色に対応したＬＥＤ等を含んで構成される。
【００１５】
なお、スロットマシン１００内部において各々のリール１１０乃至１１２の近傍には、投光部と受光部からなる光学式センサ（図示省略）が設けられており、この光学式センサの投光部と受光部のあいだを、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０乃至１１２を停止させる。
【００１６】
入賞ライン表示ランプ１２０は、有効となる入賞ライン１１４を示すランプである。有効となる入賞ライン１１４は、スロットマシン１００に投入されたメダルの数によって予め定まっている。５本の入賞ライン１１４のうち、例えば、メダルが１枚投入された場合、中段の水平入賞ライン１１４が有効となり、メダルが２枚投入された場合、上段水平入賞ライン１１４と下段水平入賞ライン１１４が追加された３本が有効となり、メダルが３枚投入された場合、右下り入賞ライン１１４と右上り入賞ライン１１４が追加された５本が入賞ラインとして有効になる。なお、入賞ライン１１４の数については５本に限定されるものではない。
【００１７】
スタートランプ１２１は、リール１１０乃至１１２が回転することができる状態にあることを遊技者に知らせるランプである。再遊技ランプ１２２は、前回の遊技において役の一つである再遊技役に入賞した場合に、今回の遊技が再遊技可能であること（メダルの投入が不要）を遊技者に知らせるランプである。告知ランプ１２３は、後述する内部抽選において、特定の役（例えば、ＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの役に入賞した結果、遊技者に払出されるメダルの枚数を表示するための表示器である。遊技回数表示器１２６は、メダル投入時のエラー表示や、レギュラーボーナスゲーム中（ＲＢゲーム中）の遊技回数、所定の役への入賞回数等を表示するための表示器である。貯留枚数表示器１２７は、スロットマシン１００に電子的に貯留されているメダルの枚数を表示するための表示器である。
【００１８】
メダル投入ボタン１３０及び１３１は、スロットマシン１００に電子的に貯留されているメダルを所定の枚数分投入するためのボタンである。本実施形態においては、メダル投入ボタン１３０（マックスベットボタンともいう）が押下されると３枚投入され、メダル投入ボタン１３１（ワンベットボタンともいう）が押下される毎に１枚ずつ最大３枚まで投入されるようになっている。メダル投入ブロック１３４は、遊技を開始するに当たって遊技者がメダルを投入するためのメダル投入口を形成するブロックである。すなわち、メダルの投入は、メダル投入ボタン１３０又は１３１により電子的に投入することもできるし、メダル投入ブロック１３４のメダル投入口から実際のメダルを投入することもできる。
【００１９】
スタートレバー１３５は、遊技の開始操作を行うためのレバー型のスイッチである。すなわち、メダル投入ブロック１３４のメダル投入口に所望する枚数のメダルを投入して、スタートレバー１３５を操作すると、これを契機としてリール１１０乃至１１２が回転し、遊技が開始される。ストップボタンユニット１３６に設けられたストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００２０】
精算ボタン１３２は、スロットマシン１００に電子的に貯留されたメダル、ベットされたメダルを精算し、メダル払出口１５５よりメダル受皿２１０に排出するためのボタンである。
【００２１】
メダル返却ボタン１３３は、投入されたメダルが詰まった場合に押下してメダルを取り除くためのボタンである。ドアキー１４０は、スロットマシン１００の前面扉１０２のロックを解除するためのキーを挿入する孔である。キーを差し込んで時計方向に回すとロックが解除され、スロットマシン１００の前面扉１０２を開けることができる。メダル払出口１５５は、メダルを払出すための払出口である。メダル受皿２１０は、メダル払出口１５５から払出されたメダルを溜めるための器である。なお、メダル受皿２１０は、本実施形態では発光可能な受皿を採用しており、以下受皿ランプ２１０と呼ぶこともある。
【００２２】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４及び受皿ランプ２１０は、遊技を盛り上げるための装飾用のランプであり、遊技状態に応じて点灯／消灯／点滅する。灰皿部２００は、煙草の吸殻を入れるための容器であり、メダル受皿２１０の内側にネジ止めされている。リールパネル１６１は、図柄表示窓１１３を有するパネルであり、タイトルパネル１６２は、そのスロットマシンの機種名や各種のデザインが描かれるパネルである。
【００２３】
液晶表示装置（ＬＣＤ）１８０は、遊技に関する各種の情報を表示することができる（例えば、ゲームを盛り上げるためのキャラクタ等を登場させたり、リーチ目等を表示させたり、スロットマシンの内部で異常が発生したときのエラーの内容を表示させたりする）。もちろん、液晶表示装置１８０のかわりに、複数のＬＥＤを２次元に配置したドットマトリックス式表示装置等、他の表示手段を用いてもよい。また。液晶表示装置１８０の左右には開閉可能な１対の扉を備えた扉装置１８３が設けられ、液晶表示装置１８０の演出に合わせて、扉を開閉させて、演出を行うようになっている。
【００２４】
＜制卸部＞
次に、図２及び図３を参照して、スロットマシン１００の制御部の回路構成について詳細に説明する。スロットマシン１００の制御部は、大別すると、遊技の中枢部分を制御する主制御部３００と、主制御部３００より送信された制御情報（以下、コマンドと略称）に応じて各種機器を制御する副制御部４００と、から構成されている。
【００２５】
＜主制御部＞
まず、図２を参照して、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００２６】
また、ＣＰＵ３１０には、後述するセンサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００２７】
また、ＣＰＵ３１０には、各ＩＣを制御するためのプログラム、当選役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算ボタンセンサ３２４、メダル払い出しセンサ３２６、及び判定回路３１９の状態を検出し、各センサを監視している。
【００２８】
スタートレバーセンサ３２１はスタートレバー１３５の操作を検知するためのセンサである。ストップボタンセンサ３２２はストップボタン１３７乃至１３９のいずれかが押された場合、どのストップボタンが押されたかを検知するためのセンサである。メダル投入ボタンセンサ３２３はメダル投入ボタン１３０及び１３１のいずれかが押下された場合、どのメダル投入ボタンが押されたかを検知するためのセンサである。精算ボタンセンサ３２４は、精算ボタン１３２の押下を検知するためのセンサであり、精算ボタン１３２が一回押されると、精算可能なメダルが払い出されることになる。本実施形態では、精算可能なメダルとは貯留されているメダルとベットされているメダルの双方であるが、貯留されているメダルのみとしてもよい。メダル払い出しセンサ３２６は、払い出されるメダルを検知するためのセンサである。メダル投入センサ３２０は、メダル投入ブロック１３４の内部の通路に２個設置されており、判定回路３１９を介して、メダルの通過有無を検出する。
【００２９】
ＣＰＵ３１０には、さらに、入力インタフェース３６１、出力インタフェース３７０及び３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパーのモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００３０】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する当選役の内部抽選をはじめ各種抽選処理に使用される。本発実施形態における乱数発生回路３１７は、２つの乱数カウンタを備えている。例えば、水晶発振器３１１のクロック周波数を用いて０〜６５５３５までの値をインクリメントするカウンタと、水晶発振器３１６のクロック周波数を用いて０〜１６７７７２１５までの値をインクリメントするカウンタとを備えている。
【００３１】
ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００３２】
＜副制御部＞
次に、図３を参照して、スロットマシン１００の副制御部４００について説明する。副制御部４００は、主制御部３００より送信されたコマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００３３】
また、ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。また、ＣＰＵ４１０には、外部の信号を送受信するための入出力インタフェース４６０が接続されており、入出力インタフェース４６０には、各リール１１０乃至１１２の図柄を左右両側より照明するためのライン表示ＬＥＤ４２０、前面扉１０２の開閉を検出するための扉センサ４２１、ＲＡＭ４１３のデータをクリアにするためのリセットスイッチ４２２が接続されている。
【００３４】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、扉・液晶画面制御部５００からの信号を入力するための入力インタフェース４７１、時計ＩＣ４２３、７セグメント表示器４４０への信号を出力するための出力インタフェース４７２等が接続されている。
【００３５】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を店の係員等が確認できるようになっている。更に、出力インタフェース４７０には、デマルチプレクサ４１９が接続されている。デマルチプレクサ４１９は、出力インタフェース４７０から送信された信号を各表示部等に分配する。すなわち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１、及び受け皿ランプ２１０を制御する。タイトルパネルランプ１７０は、タイトルパネル１６２を照明するランプであり、払出口ストロボ１７１は、メダル払出口１５５の内側に設置されたストロボタイプのランプである。なお、ＣＰＵ４１０から扉・液晶画面制御部５００への信号送信は、デマルチプレクサ４１９を介して実施する。扉・液晶画面制御部５００は、液晶表示装置１８０及び扉装置１８３を制御する制御部である。
【００３６】
＜リールの図柄配列＞
図４は、各リール１１０乃至１１２に施される図柄の配列を平面的に展開して示した図である。同図に示すように、各リール１１０乃至１１２には、複数種類の図柄が所定コマ数（ここでは２１コマ）だけ配置されている。図柄表示窓１１３には、２１コマの内の３コマ分が表示される。
【００３７】
図４の左端に示した図柄番号１乃至２１は、リール上のどの位置のコマに各図柄が配置されているか、すなわち、リール上の図柄の配置位置を示す番号である。この図柄番号と図柄とは１対１で対応しており、例えば、左リール１１０の図柄番号１のコマにはリプレイ図柄、中リール１１１の図柄番号１のコマには赤７図柄、右リール１１２の図柄番号１のコマにはベル図柄、がそれぞれ配置されている。同様にして、左リール１１０の図柄番号２のコマには赤チェリー図柄、中リール１１１の図柄番号２のコマにはリプレイ図柄、右リール１１２の図柄番号２のコマにはリプレイ図柄、がそれぞれ配置されている。
【００３８】
なお、図４では、各図柄を簡略化して文字で示しているが、実際には、各種デザイン、例えば、「ベル」ならば黄色のベルの絵を模した絵図等を描くことができる。また、空白のコマは、ブランク図柄であり、入賞に関係のない図柄となっている。
【００３９】
＜入賞役＞
図５は、本実施形態における入賞に関する配当表を示している。同図に示すように、入賞役としては、７の小役、ＲＢ、ベルの小役、スイカの小役、チェリーの小役、リプレイ、ＲＴ及びハズレがある。ここで、レギュラーボーナス（ＲＢ）はボーナスゲームに移行する図柄として、また、リプレイは新たにメダルを投入することなく再遊技が可能となる図柄として、それぞれ入賞役とは区別され「作動役」と呼ばれる場合があるが、本実施形態における「入賞役」には、ＲＢ、再遊技が含まれ、本実施形態における「入賞」には、ＲＢ、再遊技ヘの入賞が含まれる。さらに７の小役が入賞役の場合には、ＲＴ（リプレイタイム）遊技状態（再遊技（リプレイ）の当選確率が一般遊技状態と比べてアップした遊技状態）が作動するように構成しているため、役および入賞役にＲＴを含むものとする。また、本実施形態においては、後述するように、一般遊技状態、ＲＢ内部当選状態、ＲＢ遊技状態、ＲＴ遊技状態の４つの遊技状態があり、各遊技状態において、上述した入賞役の全部又は一部を備えている。
【００４０】
例えば、一般遊技状態において、ＢＡＲ−ＢＡＲ−ＢＡＲの図柄組合せが、有効化された入賞ライン１１４のいずれかに揃うと、ＲＢに入賞し、次遊技からレギュラーボーナス（ＲＢ）ゲーム（ＲＢ遊技状態）が開始される。また、赤７−赤７−赤７、又は青７−青７−青７のいずれかの図柄組合せが、有効化された入賞ライン１１４のいずれかに揃うと、７の小役に入賞し、１５枚のメダルが払い出される。
【００４１】
これに加えて、赤７−赤７−赤７、又は青７−青７−青７のいずれかの図柄組合せが、有効化された入賞ライン１１４のいずれかに揃うと、次遊技からＲＴ（リプレイタイム）遊技状態が開始される。なお、本実施形態では、ＲＴ（リプレイタイム）遊技状態が５ゲーム間、継続される。
【００４２】
また、ベル−ベル−ベル、赤７−ベル−ベル（ＲＢ遊技状態のみ）、又は青７−ベル−ベル（ＲＢ遊技状態のみ）のいずれかの図柄組合せが、有効化された入賞ライン１１４のいずれかに揃うと、ベルの小役に入賞し、１５枚のメダルが払い出される。また、スイカ−スイカ−スイカの図柄組合せが有効化された入賞ライン１１４のいずれかに揃うと、スイカの小役に入賞し、１０枚のメダルが払い出される。また、赤チェリー−ＡＮＹ−ＡＮＹ、青チェリー−ＡＮＹ−ＡＮＹ、又は黒チェリー−ＡＮＹ−ＡＮＹのいずれかの図柄組合せが、有効化された入賞ライン１１４のいずれかに揃うと、チェリーの小役に入賞し、１枚のメダルが払い出される。なお、ＡＮＹはどの図柄でもよいことを示しており、例えば、赤チェリー−ベル−スイカを有効化されたいずれかの入賞ライン１１４に沿って停止表示した場合には、左リール１１０が赤チェリー図柄を入賞ライン１１４に沿って停止表示していることから、チェリーの小役を入賞役として決定し、１枚のメダルが払い出される。
【００４３】
また、リプレイ−リプレイ−リプレイの図柄組合せが有効化された入賞ライン１１４のいずれかに揃うと、リプレイの入賞となり、次回の遊技がメダルの投入なしで行うことができる。
【００４４】
＜遊技の基本的制御＞
次に、図６及び図７を用いて、スロットマシン１００の動作について説明する。ここで、図６は、スロットマシン１００における遊技の基本的制御を示す主制御部メイン処理のフローチャートである。遊技の基本的制御は、主制御部３００のＣＰＵ３１０が中心になって行い、電源断等を検知しないかぎり、同図の処理を繰り返し実行する。また、図７は、主制御部３００のＣＰＵ３１０が実行する割り込み処理のフローチャートである。ＣＰＵ４１０は同図の処理を所定周期（約２ｍｓｅｃ）で行う。
【００４５】
まず、図６を参照して、主制御部メイン処理について説明する。
【００４６】
ステップＳ１０では、メダル投入に関する処理を行い、メダルの投入の有無をチェックし、メダルの投入の規定枚数を設定する（投入されたメダルに対応する本数の入賞ライン１１４を有効化する）。メダルが投入されたことを検出するたびに、メダル投入を示す情報を含んだメダル投入コマンドを副制御部４００に送信する。また、本実施形態では、メダルが１枚以上投入されている場合には、スタートレバー１３５が操作されたか否かのチェックを行い、遊技のスタート操作受付に関する処理を行う。遊技者によりスタートレバー１３５が操作されたか否かは、スタートレバーセンサ３２２からの検知信号の入力により判定する。なお、主制御部３００は、スタートレバー１３５が操作されたときには、副制御部４００にスタートレバー１３５操作を示す情報を含んだスタートレバー受付コマンドを送信する。
【００４７】
ステップＳ２０では、乱数発生回路３１７で発生させた乱数を取得し、当選役決定処理を行う。当選役決定処理は、取得した乱数値と、遊技状態（例えばＲＡＭ３１３に設けた遊技状態フラグ格納領域に格納されている現在の遊技状態を示す情報）と、ＲＯＭ３１２に格納されている当選役抽選テーブルを用いて、当選役の内部抽選を行う処理であり、内部抽選の結果、いずれかの役に当選した場合、ＲＡＭ３１３に設定されたその当選役のフラグがＯＮになる（内部当選情報をＲＡＭ３１３に記憶する）。役としては、例えば、リプレイ（再遊技）、小役、ボーナス（ＲＢ）、ハズレ等を挙げることができる。
【００４８】
なお、各当選役には、メダルのベット数及び設定値（１〜６)毎に内部抽選の当選確率が設定されており、当選役抽選テーブルはこれに従って構成され、抽選時に取得される乱数値の範囲（例えば、０〜６５５３５）は予めいくつかの領域（各当選確率の大きさに相当する領域）に分割されており、各領域に各役の当選やはずれが対応付けられている。そして、取得した乱数値がどの範囲に属するかで役の当選の当否が決定する。この方式は他の抽選処理(演出抽選など)でも採用される。
【００４９】
図８（ａ）は、本実施形態で用いられる当選役抽選テーブルの一例を示している。図８（ａ）に示すように、当選役抽選テーブルは、各遊技状態ごとに当選判定情報を有しており、当選判定情報は、それぞれの当選役ごとに乱数範囲を備えている。ここで、表中のハイフン(”−”)は、その役が当選しないことを示している。また、ＲＢ内部当選状態とは、ＲＢに当選したにも係らず、その遊技においてＲＢに入賞しなかった場合、次遊技以降入賞するまでの間、ＲＢに当選したものとして取り扱うようになっているが、このＲＢの当選が持ち越された遊技状態をいう。
【００５０】
なお、全乱数範囲（乱数の個数）は６５５３６としており、０〜６５５３５までの値がそれぞれの当選役に割り当てられている（例えば、一般遊技状態において、７の小役は０〜６５４、ＲＢは６５５〜９８２、ベルの小役は９８３〜３１６７、スイカの小役は３１６８〜４４７８、チェリーの小役は４４７９〜５７８９、リプレイは５７９０〜１４７６７、ハズレは１４７６８〜６５５３５の範囲が割り当てられている）。また、図８（ａ）に示す当選役抽選テーブルでは、乱数範囲を連続した数値範囲としているが、乱数範囲は連続した範囲に限定されるものではなく、飛び飛びの数値で構成されるようにしてもよい。
【００５１】
例えば、具体的には、ＲＢ遊技状態において、取得された乱数の値が５００００であるときは、ベルの小役が当選となる乱数の範囲が０〜５３９３４であることから、ベルの小役に当選したことになり、また、ＲＢ遊技状態において、取得された乱数の値が６００００であるときは、リプレイが当選となる乱数の範囲が５６５５７〜６５５３４であることから、リプレイに当選したことになる。なお、図８（ｂ）は、図８（ａ）に示した各数値を全乱数範囲（乱数の個数）６５５３６で除した値であり、それぞれの役への当選確率を示している。
【００５２】
本実施形態の当選役抽選テーブルは、図８（ａ）及び（ｂ）に示すように、ＲＢ遊技状態においては、ベルの小役の当選確率が一般遊技状態に比べてかなり高く設定され、かつハズレの当選確率が著しく低く設定されているため、ＲＢ遊技状態は、より多くのメダルを獲得でき、遊技者にとって有利な遊技状態となっている。また、ＲＴ遊技状態においては、リプレイに当選する確率が一般遊技状態に比べてかなり高く設定されているため、ＲＴ遊技状態は、メダルの目減りが少なく、遊技者にとってやや有利な遊技状態となっている。
【００５３】
図８（ｃ）は、図８（ａ）に示した同一内容（一般遊技状態及びＲＴ遊技状態）を別の形態の当選役抽選テーブルで示している。ここで、ハズレに関しては、上の行から各役に当選するか否かを照合し、何れの役にも当選しなかった場合にハズレに当選したと判定（ハズレを当選役として決定）するようにしている。例えば、一般遊技状態の場合には、取得された乱数の値が２０であるときは、７の小役（当選となる乱数の範囲は、０〜６５４）に当選したことになる。一方、ＲＴ遊技状態の場合には、取得された乱数の値が２０であるときは、７の小役の行は参照されず、ＲＢ（当選となる乱数の範囲は、０〜３２７）に当選したことになる。また、一般遊技状態の場合で、取得された乱数の値が３００００の場合は、ＲＴ遊技用リプレイの行は参照されず、リプレイに関しては一般遊技用リプレイの行のみが参照されるので、当選役はハズレ（当選となる乱数値の範囲は１４７６８〜６５５３５）となる。またＲＴ遊技状態の場合で、取得された乱数の値が１００００の場合は、一般遊技用リプレイの行は参照されず、リプレイに関してはＲＴ遊技用リプレイの行のみが参照されるので、リプレイ（当選となる乱数値の範囲は５２３５〜６５５３４）に当選したことになる。
【００５４】
このように、当選役抽選テーブルの実装形態は、種々想定されるものであり、また、図９に示す以外の形態であってもよく、例えば、当選判定情報をプログラム上に直接コーディングし、プログラムロジックとして対応するようにしてもよい。例えば、上述の図８（ａ）における一般遊技状態を例にすると、取得された乱数値が０以上６５４以下であれば、ＲＡＭ３１３に設定された７の小役のフラグをオンにし、同様に６５５以上９８２以下であればＲＢのフラグをオンにし、・・・１４７６８以上６５５３５以下であればハズレのフラグをオン（またはいずれのフラグもオンにしない）といった制御の流れをプログラム上に直接コーディングするようにしてもよい。
【００５５】
次に、ステップＳ３０では、停止テーブル決定処理を行う。これは、停止テーブルを選択する処理であって、リールの停止制御は、この選択された停止テーブルに基づいて、行われる。ここで、リール１１０乃至１１２の停止制御について簡単に説明する。リールの停止制御は、予め定めた複数種類の停止テーブルの中から当選役の抽選結果に基づいていずれかを選択し、選択した停止テーブルに基づき行う。停止テーブルは主制御部３００のＲＯＭ３１２に格納されている。停止テーブルは、当選した役か、又は、いわゆるフラグ持ち越し中（ＲＢに当選したにも関わらず、その遊技においてＲＢに入賞しなかった場合、入賞するまで次遊技以降も、それらに当選したものとして取り扱う）の役については、対応する図柄組合せが揃って表示されることが許容される一方、そうでない場合には各入賞役に対応する図柄組合せが揃って表示されないように構成されている。例えば、チェリーの小役に当選していない場合、チェリーの図柄組合せが表示されるタイミングでリール１１０乃至１１２の停止操作が行われたとしても、リール１１０乃至１１２は直ちに停止せずにチェリーの図柄組合せが揃わないように制御される。このことを蹴飛ばし制御という。逆に、チェリーに当選している場合には、チェリーの図柄組合せを構成する図柄が入賞ライン１１４に沿った位置に表示しているタイミングでリール１１０乃至１１２の停止操作が行われなかったとしても、一定の範囲でリール１１０乃至１１２は直ちに停止せずにチェリーの図柄組合せが揃うように停止までの時間を遅延する制御がされることになる。ここで、一定の範囲とは、予め定められた停止可能な範囲であり、停止操作が行われたときから移動可能な範囲である（引込みコマ数を多くすればするほどリールを滑らせて停止させることができるが、多すぎた場合、遊技者にとっては、停止操作を行ったにも係わらず、リールが回転しているという不自然さを与えることとなるため、この不自然に感じない程度の間隔で停止許可位置を設定することが好ましい。本実施形態では最大４コマ滑りとしている）。このことを引き込み制御と言う。
【００５６】
図９（ａ）乃至（ｄ）は、本実施形態で用いられる、停止テーブルを選択するための停止番号選択テーブルの一例を示している。ここで、図９（ａ）は、一般遊技状態における停止番号選択テーブル、図９（ｂ）は、ＲＢ内部当選状態における遊技状態における停止番号選択テーブル、図９（ｃ）は、ＲＢ遊技状態における遊技状態における停止番号選択テーブル、図９（ｄ）は、ＲＴ遊技状態における遊技状態における停止番号選択テーブルを示している。
【００５７】
図９（ａ）乃至（ｄ）に示すように、停止番号選択テーブルは、遊技状態及びステップＳ２０の当選役決定処理で決定された当選役に基づいて、停止テーブルを選択する構成となっている。ここで、停止番号は、停止テーブルを一意に識別可能な識別情報であり、具体的には、停止番号０は、７の小役に対応する図柄組合せを停止制御する停止テーブル、停止番号１は、ＲＢに対応する図柄組合せを停止制御する停止テーブル、停止番号２は、ベルの小役に対応する図柄組合せを停止制御する停止テーブル（ベルの小役に対応する図柄組合せを必ず停止させるように制御）、停止番号３は、スイカの小役に対応する図柄組合せを停止制御する停止テーブル、停止番号４は、チェリーの小役に対応する図柄組合せを停止制御する停止テーブル、停止番号５は、リプレイに対応する図柄組合せを停止制御する停止テーブル、停止番号６は、ハズレに対応する図柄組合せを停止制御する停止テーブル、停止番号７は、チャンス目の図柄組合せを停止制御する停止テーブルとなっている。
【００５８】
なお、停止番号選択テーブルの表に示された数値は、当選役抽選テーブルと同様に、乱数の範囲を示しており、各停止番号に乱数範囲が割り当てられている。すなわち、全乱数範囲（乱数の個数）は１６であり、０〜１５までの値がそれぞれの停止番号に割り当てられている。例えば、一般遊技状態で７の小役に当選したときに参照される停止番号選択データには、停止番号０に０〜１５の範囲が割り当てられている。
【００５９】
このため、図９（ａ）に示すように、例えば、一般遊技状態で７の小役に当選したときには、１６／１６の確率で停止番号０の停止テーブルが選択され、また、一般遊技状態でＲＢに当選したときには、１／１６の確率で停止番号１の停止テーブルが選択され、１５／１６の確率で停止番号７の停止テーブルが選択されるようになっている。また、図９（ｂ）に示すように、例えば、ＲＢ内部当選状態でリプレイの小役に当選したときには、１６／１６の確率で停止番号５の停止テーブルが選択されるようになっている。
【００６０】
このように、本実施形態においては、当選結果と停止テーブルが必ずしも１対１に対応していないが（例えば、上述した一般遊技状態においてＲＢに当選した場合）、すべての当選役に対して、当選役と停止テーブルが１対１に対応するように停止番号選択テーブルを構成してもよい。なお、停止テーブルの内容に関しては、後述するリール停止制御処理において、詳しく説明する。
【００６１】
次に、ステップＳ４０では、演出コマンド決定処理を行う。これは、演出用のランプ、液晶表示装置１８０、リールのバックライト等を用いた演出を遊技状態及び内部当選結果に基づいて抽選で決定する処理である。
【００６２】
図１０は、本実施形態で用いられる、演出コマンドを選択するための演出コマンド選択テーブルの一例を示している。演出コマンド選択テーブルは、ステップＳ３０で選択された停止テーブルの停止番号に基づいて、演出コマンドを選択する構成となっている。なお、演出コマンド選択テーブルの表に示された数値は、当該演出コマンドが選択される確率を示している（実際には、演出コマンド選択テーブルは、停止番号ごとに、各演出コマンドに対応する乱数の範囲を備えたデータである）。例えば、具体的には、停止番号が０の場合には、演出コマンド０を２５４／２５６の確率、演出コマンド６を１／２５６の確率、演出コマンド７を１／２５６の確率で選択する。また、停止番号が５の場合には、演出コマンド５を１２８／２５６の確率、演出コマンド６を１２７／２５６の確率、演出コマンド７を１／２５６の確率で選択する。
【００６３】
図１１は、図１０の演出コマンドに対応する演出の内容を示す表である。本実施形態においては、液晶表示装置１８０を介して、当選役を示唆する演出を行うようになっている。例えば、演出コマンド０（停止番号０の場合、すなわち、７の小役に対応する図柄組合せを停止制御する場合に、選択される蓋然性が高い）の場合には、液晶表示装置１８０の画面上に「ＲＴ」と表示して、ＲＴ（７の小役）に当選したことを示唆する。また、演出コマンドが１（停止番号１の場合、すなわち、ＲＢに対応する図柄組合せを停止制御する場合に、選択される確率が高い）の場合には、液晶表示装置１８０の画面上に「ＢＡＲ」と表示して、ＲＢに当選したことを示唆する。
【００６４】
次に、ステップＳ５０では、ステップＳ４０で選択された演出コマンドを副制御部４００に送信する。なお、副制御部４００は、送信された演出コマンドに基づいて、演出デバイス（例えば、演出用のランプ、液晶表示装置１８０など）のドライバにデータをセットする。データのセットにより演出デバイスがそのデータに応じた演出を実行する。
【００６５】
次に、ステップＳ５０では、ステップＳ４０で選択された演出コマンドを副制御部４００に送信する。なお、副制御部４００は、送信された演出コマンドに基づいて、演出デバイス（例えば、演出用のランプ、液晶表示装置１８０など）のドライバにデータをセットする。データのセットにより演出デバイスがそのデータに応じた演出を実行する。
【００６６】
ステップＳ６０では、スタートレバーセンサ３２２からの検知信号を受けて、全リール１１０乃至１１２の回転を開始させる。具体的にはＲＡＭ３１３に設けたリール状態格納領域にリール回転開始指示を示す情報を格納する。なお、主制御部３００は、リール回転開始を示す情報を含むリール回転開始コマンドを副制御部４００に送信する。
【００６７】
ステップＳ７０では、回転している全リールが停止したか否かを判定する。なお、ストップボタンユニット１３６に設けられた左・中・右ストップボタンの受け付けが可能になった状態で、何れかのストップボタンが押されると、すなわち、ストップボタンセンサ３２３からの検知信号を入力すると、ストップボタンに対応するリールは停止する。リールの停止制御に関しては、詳しくは、割り込み処理において、後述する。なお、主制御部３００は、停止操作を示す情報、遊技者によるリールの停止操作位置情報、滑りコマ数情報、停止位置情報、および停止操作されたリールの種類（例えば左、中、右など）を示す情報などのうちのいずれか１つ、所定の複数または全部の情報を含んだ停止操作コマンド（詳しくは、停止操作順序に従って、第１停止操作コマンド、第２停止操作コマンド、第３停止操作コマンド）を副制御部４００に送信する。
【００６８】
ステップＳ８０では、入賞役決定処理を行う。ここでは、有効化された入賞ライン１１４上に、当選した役又はフラグ持越し中の役に対応する図柄組合せを表示している場合、及びＲＴ遊技状態に遊技状態を移行させる作動図柄組合せを停止表示している場合にその入賞役に入賞したと判定する（停止表示した図柄組合せに対応する役を入賞役として決定し、ＲＡＭ３１３に設けた入賞情報記憶領域に入賞役を識別可能な情報を記憶する）。例えば、有効化された入賞ライン１１４上に、「ベル−ベル−ベル」が揃っていたならばベル入賞と判定する（入賞役をベルと決定する）。また、入賞役に対応するＲＡＭ３１３に設けた入賞フラグ記憶領域に入賞役がベルであることを示すフラグをセットする。なお、主制御部３００は、入賞役を示す情報を含んだ入賞役コマンドを副制御部４００に送信する。
【００６９】
ステップＳ９０では、誤入賞エラー判定処理１を行う。この誤入賞エラー判定処理１は、本実施形態における特徴的な処理であるので、図１２を参照して説明する。ここで、図１２は、ステップＳ９０の誤入賞エラー判定処理１を詳しく示すフローチャートである。
【００７０】
ステップＳ９１では、判定フラグがオンであるか否かを判定する。ここで、判定フラグは、誤入賞エラー判定処理１を実行するか否かを判定するフラグである。詳しくは、判定フラグは、後述するステップＳ１２０の遊技状態更新処理において設定され、予め定められた特定の条件を具備した場合だけフラグをオンにするものである。例えば、ボーナス中（ボーナス遊技状態）やＲＴ中（ＲＴ遊技状態）において判定フラグをオンに設定するようにしてもよい。勿論、常時、判定フラグをオンに設定するようにしてもよい。判定フラグがオンのときは、ステップＳ９２に進み、誤入賞エラー判定処理１を実行し、判定フラグがオフのときは、誤入賞エラー判定処理１を終了する。
【００７１】
ステップＳ９２では、ステップＳ２０の当選役決定処理で決定した当選役が、ステップＳ８０の入賞役決定処理で決定した入賞役と一致するか否かを判定する。当選役と入賞役が一致しないときは、ステップＳ９３に進み、当選役と入賞役が一致するときは、エラーでないので、誤入賞エラー判定処理１を終了する。
【００７２】
ステップＳ９３では、ステップＳ２０の当選役決定処理で決定した当選役が、予め定めた特定の役（ハズレ以外の役であればよい；例えば、ベルの小役、リプレイなど）であるか否かを判定する。本実施形態の誤入賞エラー判定処理１では、予め定めた特定の役に対して、誤入賞エラー判定を行うものであるので、当選役が予め定めた特定の役であるときは、ステップＳ９４に進み、当選役が予め定めた特定の役でないときは、誤入賞エラー判定処理１を終了する。
【００７３】
ステップＳ９４では、ステップＳ８０の入賞役決定処理で決定した入賞役がハズレであるか否かを判定する。本実施形態の誤入賞エラー判定処理１は、入賞役がハズレの場合の誤入賞エラー判定処理であるので、入賞役がハズレであるときは、誤入賞エラーと判定して、処理を中断して、誤入賞エラーに関する情報を含む誤入賞エラーコマンドを副制御部４００に送信する。副制御部４００は、誤入賞エラーコマンドを受信すると、誤入賞エラーが発生したことを報知するため、各種ランプを赤く点灯させる。例えば、具体的には、特定の役をベルの小役とし、ベルの小役に当選したにも係らず、入賞役がハズレであった場合である。
【００７４】
なお、このエラー状態は、遊技店員がスロットマシン１００の筐体内部に設けたリセットスイッチを操作しなければ、解除されない。一方、入賞役がハズレでない場合には、誤入賞エラー判定処理１を終了する。しかしながら、当該ケースは、後述するステップＳ１００の誤入賞エラー判定処理２において、誤入賞エラーと判定される。
【００７５】
このように、本実施形態の誤入賞エラー判定処理１は、ハズレ以外の特定の役が当選した遊技において、ハズレが入賞した場合を誤入賞エラーと判定する処理である。
【００７６】
ステップＳ１００では、誤入賞エラー判定処理２を行う。この誤入賞エラー判定処理２は、従来において取り込まれていた機能の誤入賞エラー判定処理であって、ハズレ以外の役に入賞した場合であって、かつ当選役と入賞役とが異なる場合に、誤入賞があったものとして、誤入賞エラー処理を行うものである。例えば、具体的には、チェリーの小役に内部当選して、リプレイに入賞した場合である。誤入賞エラー判定処理１において、誤入賞エラーと判定した場合には、処理を中断して、誤入賞エラーに関する情報を含む誤入賞エラーコマンドを副制御部４００に送信する。副制御部４００は、誤入賞エラーコマンドを受信すると、誤入賞エラーが発生したことを報知するため、各種ランプを点灯させる。なお、本実施形態では、ステップＳ９０の誤入賞エラー判定処理１とステップＳ１００の誤入賞エラー判定処理２では、誤入賞エラーと判定した場合のエラー報知の演出態様を異ならせているので、いずれの誤入賞エラー判定処理で誤入賞エラーとしたかを把握することができる。
【００７７】
本実施形態においては、ステップＳ９０及びステップＳ１００の誤入賞エラー判定処理を実行することにより、従来の誤入賞エラー判定処理は勿論、特定の役（ハズレ以外）に当選して、入賞役がハズレとなるような場合であっても、誤入賞エラーと判定することができるので、従来と比して、より厳しい誤入賞エラー判定をすることができる。この結果、従来においては、誤入賞エラー判定が十分でなく、遊技者が本来獲得できるはずの利益を逸失していた不具合を確実に防止することができる。
【００７８】
なお、本実施形態においては、ステップＳ９０の誤入賞エラー判定処理１及びステップＳ１００の誤入賞エラー判定処理２を別の機能として、順次実行するように処理を構成したが、これとは別に、ステップＳ９０の誤入賞エラー判定処理１及びステップＳ１００の誤入賞エラー判定処理２の内容を包括した処理として実行するようにしてもよい。図１３は、このような場合の誤入賞エラー判定処理を示すフローチャートである。
【００７９】
ステップＳ９１Ａでは、当選役と入賞役が一致するか否かを判定し、当選役と入賞役が一致しないときは、ステップＳ９２Ａで、判定フラグがオンであるか否かを判定する。判定フラグがオンであるときは、ステップＳ９３Ａで、当選役が特定の役であるか否かを判定し、特定の役であるときは、誤入賞エラーと判定する。一方、当選役が特定の役でないときは、ステップＳ９４Ａで、入賞役がハズレであるか否かを判定し、ハズレでない場合には、誤入賞エラーと判定する。すなわち、当選役が特定の役である場合には、当選役と入賞役が異なる場合はすべて誤入賞エラーであり、また、当選役が特定の役でない場合には、当選役と入賞役が異なって、かつ入賞役がハズレ以外であれば誤入賞エラーとなる。
【００８０】
ステップＳ１１０では、入賞役として決定した役に対して予め定めた枚数のメダルを払い出す。例えば、入賞役がベルの小役の場合であれば、図５に示すように１５枚のメダルを払い出すために、ＲＡＭ３１３に設けたメダル払出枚数カウンタの値に１５を加算またはリセットし、同じくＲＡＭ３１３に設けたメダル払出状態記憶領域にメダル払出開始指示を示す情報を格納する。なお、主制御部３００は、メダル払出を示す情報を含むメダル払出コマンドを副制御部４００に送信する。
【００８１】
ステップＳ１２０では遊技状態更新処理を実行する。この遊技状態更新処理では、遊技状態を移行するための制御が行われ、例えば、当選役がＲＢであり、入賞役がＲＢ以外の役の場合に、ＲＢを入賞役として決定するまで、ＲＢを持ち越し役として設定（ＲＡＭ３１３に設けた持ち越し役格納領域にＲＢが持ち越し役であることを示すフラグをセット）するとともに、ＲＡＭ３１３に設けた遊技状態フラグ格納領域にＲＢ内部当選状態であることを示すフラグをセットし、次回の遊技におけるステップＳ２０の当選役決定処理ではＲＢ内部当選状態用の当選判定情報を使用できるように準備をする。また、ＲＢのようなボーナス入賞の場合に次回から対応するＲＢを開始できるよう準備するとともに、持ち越し役がＲＢであることを示すフラグをクリアし、ボーナスゲーム（ＲＢ）の最終遊技においては、次回から一般遊技が開始できるよう準備する。例えば、ステップＳ８０の入賞役決定処理でＲＢを入賞役として決定した場合には、ＲＡＭ３１３に設けた遊技状態フラグ格納領域にＲＢ遊技状態であることを示すフラグをセットし、次回の遊技におけるステップＳ２０の当選役決定処理ではＲＢ遊技状態用の当選判定情報を使用できるように準備をする。同様に入賞役がＲＴの場合には、ＲＡＭ３１３に設けた遊技状態フラグ格納領域にＲＴ遊技状態であることを示すフラグをセットし、次回の遊技におけるステップＳ２０の当選役決定処理ではＲＴ遊技状態用の当選判定情報を使用できるように準備をする。またステップＳ８０の入賞役決定処理でリプレイを入賞役として決定した場合には、ＲＡＭ３１３に設けた再遊技フラグ格納領域に次回の遊技を再遊技にすることを示す情報をセットし、次回の遊技は遊技メダルの投入無しで遊技を開始可能にするように準備をする（次回の遊技における入賞役がリプレイとならなかった場合には、再遊技フラグ格納領域の情報を消去する）。また、不要となったＲＡＭ３１３の記憶領域（例えば内部当選情報、入賞情報記憶領域）をクリアする。また、本実施形態においては、予め定められた条件の成立に応じて、上述した判定フラグの設定及び解除を行う。
【００８２】
以上により１ゲームの処理が終了し、その後、ステップＳ１０へ戻って同様の処理を繰り返すことにより遊技が進行することになる。
【００８３】
＜主制御部割り込み処理＞
次に、図７（ａ）を参照して、主制御部の割り込み処理について説明する。
【００８４】
ステップＳ２１０では、レジスタを退避し、割り込み処理の終了後に、割り込み前の処理状態に復帰できるようにする。
【００８５】
ステップＳ２２０では、リールが回転中であるか否かを確認し、リールが回転中であるときは、リールのステッピングモータの位相信号データの変更を行う。すなわち、ＲＡＭ３１３に設けたリール状態格納領域にリール回転開始指示を示す情報が格納されていると、全てのリールを停止状態から一定速度まで加速するための位相信号データをセットし、リール状態格納領域にリール回転停止指示を示す情報が格納されていると、対応するリールを定速回転状態から停止状態まで減速するための位相信号データをセットする。
【００８６】
ステップＳ２３０では、各種センサ、スイッチの信号状態が入力される入力ポートのデータをチェックして、データを入力し、他の処理から参照可能なようにＲＡＭ３１３の所定の記憶領域に入力結果を格納する。
【００８７】
ステップＳ２４０では、各種処理に使う乱数を更新し、ステップＳ２５０では、特殊処理を行う。ここで、特殊処理に関しては、遊技制御の状態に応じて、図７（ｂ）に示す特殊処理用ジャンプテーブルの中から選択されたいずれかの処理が実行される。詳しくは、特殊処理には、通常処理（Ｓ２５１：特に何もしない）、ＲＡＭクリア処理（Ｓ２５２：一遊技が終了したとき、ＲＢが終了したときにＲＡＭ３１３をクリアする）、表示設定処理（Ｓ２５３：７セグ表示器、遊技ランプ等の表示処理）、メダル投入処理（Ｓ２５４：メダルの投入を検出する処理で、メダル投入又はメダル投入ボタンの操作により、実行される）、メダル払出処理（Ｓ２５５：ＲＡＭ３１３に設けたメダル払出状態記憶領域にメダル払出開始指示を示す情報が記憶されている場合、またはＲＡＭ３１３に設けたメダル払出枚数カウンタが０ではない場合に、ホッパー制御部に駆動信号を出力するとともに、ホッパーから払い出されたメダルを検出した場合には、ＲＡＭ３１３に設けたメダル払出枚数カウンタの値を減算し格納する）、リール停止制御処理（Ｓ２５６）がある。
【００８８】
ステップＳ２６０では、退避したレジスタを復帰する。
【００８９】
以下、ステップＳ２５６のリール停止制御処理について詳しく説明する。上述したように、リールの停止制御は、当選役の抽選結果に基づいて選択された停止テーブルに基づき行う。
【００９０】
図１４は、本実施形態で用いられるメダル３枚投入時用（以降特に記載がなければメダル３枚投入とする）の停止テーブルの一例を示している。ここで、図１４は、停止番号２、すなわち、ベルに対応する図柄組合せを停止制御させる停止テーブルを示している。以下、図１４を参照して、停止テーブルを用いたリールの停止制御について具体的に説明する。
【００９１】
例えば、ベルの小役に当選した遊技において、左リール１１０の図柄番号５（リプレイ図柄）が中段の水平入賞ライン１１４を通過したときに、左ストップボタン１３７を操作すると、図１４の左から２列目の図柄番号５に対応する行に記載の「１」より、１コマ滑って停止する（上段にはベル図柄、中段にはスイカ図柄、下段にはリプレイ図柄が停止する）。よって、ベルは入賞ライン１１４上に停止する。次いで、中リール１１１の図柄番号１０（ベル図柄）が中段の水平入賞ライン１１４を通過したときに、中ストップボタン１３８を操作すると、図１４の左から３列目の図柄番号１０に対応する行に記載の「３」より、３コマ滑って停止する（上段にはベル図柄、中段にはブランク図柄、下段には青７図柄が停止する）。よって、ベルは入賞ライン１１４上に停止する。次いで、右リール１１２の図柄番号１８が中段の水平入賞ライン１１４を通過しているタイミングで、右ストップボタン１３９を操作すると、図１４の左から４列目の図柄番号１８に対応する行に記載の「２」より、２コマ滑って停止する（上段にはベル図柄、中段にはリプレイ図柄、下段には黒ＢＡＲ図柄が停止する）。この結果、上段の水平入賞ライン１１４に沿った位置に、ベル図柄が揃って停止表示するので、入賞役はベルの小役となる。
【００９２】
このように、本実施形態において、ベルの小役は取りこぼしが発生しない入賞役であり、いずれの位置で停止操作しようと、ベルの小役に対応する図柄組合せは入賞ライン１１４上に揃う。なお、図示しないが、本実施形態においては、リプレイも取りこぼしが発生しない入賞役であり、リプレイに当選した遊技では、いずれの位置で停止操作しようと、リプレイに対応する図柄組合せは入賞ライン１１４上に揃う。また当選役がハズレの場合には、ＲＢ内部当選状態ではＲＢに対応する図柄の組合せが入賞ライン１１４上に揃う、またはハズレに対応する図柄の組合せが入賞ライン１１４上に揃う、すなわちハズレとＲＢ以外の役に対応する図柄の組合せが入賞ライン１１４上に揃うことはない。一方、スイカの小役、チェリーの小役、７の小役およびＲＢは取りこぼしが発生する入賞役である。
【００９３】
以上述べたように、本実施形態によれば、特定の役に当選して、入賞役がハズレとなるような場合、及びハズレ以外の入賞役と当選役が異なる場合を誤入賞エラーと判定するので、遊技の進行中に発生する異常をより厳しく監視することができる。
【００９４】
この結果、遊技者が獲得できる利益が逸失するという不具合を確実に防止することができる。
【００９５】
＜その他の実施形態＞
以上、本発明の実施形態について説明してきたが、本発明の要旨を逸脱しない範囲において、本発明の実施形態に対して種々の変形や変更を施すことができる。例えば、上記実施形態では、誤入賞エラーが発生した場合には、ランプにより報知したが、報知手段は、ランプに限定されず、ＬＣＤ、ドット、ＬＥＤ、音及び外端信号等により、誤入賞エラーを報知するようにしてもよい。
【００９６】
また、上記実施形態では、誤入賞エラー判定処理１と誤入賞エラー判定処理２の演出態様を異なるように設定したが、勿論、同一にしてもよい。
【００９７】
また、上記実施形態では、誤入賞エラーと判定すると、処理を中断し、エラー報知を行うようにしていたが、これとは別に、ＲＡＭ３１３にエラーカウンタを設けて、誤入賞エラーと判定するたびにエラーカウンタの値をインクリメントし、エラーカウンタの値が所定の数以上になったときに、処理を中断して、エラー報知を行うようにしてもよい。
【００９８】
また、上記実施形態においては、判定フラグがオンの状態の場合に誤入賞エラー判定処理を実行するようにしていたが、判定フラグがオンの状態としては、上述したＲＢ遊技状態やＲＴ遊技状態のほか、遊技者にとって有利な他の遊技状態（例えば、ＢＢ、ＣＴ、ＡＴなど）であってもよい。
【００９９】
なお、このような有利な遊技状態において判定フラグをオンとした場合には、有利な遊技状態中に誤入賞エラーが発生しても、遊技進行を継続させ、有利な状態が終了後に、誤入賞エラーの報知を実行するようにしてもよい。この場合には、遊技進行を継続させた方が、遊技者にとって、より大きな利益を得ることができるからである。しかし、逆に遊技者にとって有利な状態以外の遊技状態にだけ判定フラグをオンにするようにしてもよい。例えば、一般遊技状態のみ判定フラグをオンにしてもよい。
【０１００】
また、上記実施形態では、全リールが停止後に誤入賞エラー判定処理を行ったが、誤入賞エラー判定処理の実施するタイミングはこれに限定されず、例えば、特定のリールの停止図柄が入賞役に対応する図柄組合せを構成する図柄でない場合には、その時点で誤入賞エラーとしてもよい。
【０１０１】
また、遊技者がストップボタンを押下して、自らの意思でリールを停止した場合と、リールが自動停止した場合とを分けて、誤入賞エラー判定処理を実行してもよい。すなわち、遊技者がストップボタンを押下して、自らの意思でリールを停止した場合には、誤入賞エラー判定処理を実行し、リールが自動停止した場合には、誤入賞エラー判定処理を実行しないようにしてもよい。
【０１０２】
また、上記実施形態では、誤入賞エラー判定処理１（ステップＳ９０）及び誤入賞エラー判定処理２（ステップＳ１００）の２つの誤入賞エラー判定処理を実行するようにしたが、誤入賞エラー判定処理１（ステップＳ９０）だけを実行するようにしてもよい。
【０１０３】
さらには、上記実施形態では、主制御部３００が演出を決定していたが（図６のステップＳ４０の演出コマンド決定処理）、副制御部４００が演出を決定するようにしてもよい。すなわち、主制御部３００から副制御部４００に当選役を示す情報を含んだ当選役コマンドを送信し、副制御部４００が受信した当選役コマンドに基づいて演出を決定するようにしてもよい。
【０１０４】
また、７の小役は一般遊技状態でのみ当選し、入賞するように例示したが、他のＲＢ内部当選状態、ＲＢ遊技状態、およびＲＴ遊技状態でも一般遊技状態と同様に抽選し、当選および入賞するように構成してもよい。
【０１０５】
また、特定の役としてリプレイを予め定め、当選役として決定する可能性がある役としてベルの小役およびリプレイにより構成したグループ役を含む場合には、当選役決定手段がそのグループ役を当選役として決定した遊技で、入賞ライン１１４に沿ってベルの小役またはリプレイに対応する図柄の組合せを停止表示した場合には誤入賞エラーと判定せず、ハズレを含むその他役に対応する図柄の組合せを停止表示した場合に誤入賞エラーと判定するようにしてもよいし、当選役がグループ役の場合にハズレに対応する図柄の組合せを停止表示した場合には誤入賞エラーと判定しないようにしてもよい。
【０１０６】
また、特定の役は遊技状態ごとに変化させてもよい。具体的にはボーナス状態(例えばＲＢ遊技状態)では、ベルの小役、およびリプレイを特定の役として、非ボーナス状態(例えば一般遊技状態、ＲＢ内部当選状態)では、ベルの小役のみを特定の役としてもよい。
【０１０７】
また、誤入賞エラー判定手段は当選役決定手段が特定の役を当選役として決定した遊技において、図柄表示手段の表示結果が前記特定の役に対応しない場合に誤入賞エラーと判定するとしてきたが、特定の停止番号を選択した遊技において、図柄表示手段の表示結果が特定の停止番号に対応しない場合に誤入賞エラーと判定してもよい。具体的には、一般遊技状態、当選役がＲＢの場合に停止番号として７を選択した遊技で、入賞ライン１１４に沿ってチャンス目を停止表示しなかった場合に誤入賞エラーと判定するようにしてもよい。
【０１０８】
ここで、停止番号の役割をまとめると、当選役が所定の役である場合に第１の停止番号と第２の停止番号の２つのうちから選択する可能性があるように停止番号選択テーブルを構成しているとすると、当選役が所定の役で第１の停止番号を選択した場合には、所定の役に対応する図柄組合せのうちの第１の図柄組合せを停止表示することはなく、第２の停止番号を選択した場合には所定の役に対応する図柄組合せのうちの第２の図柄組合せを停止表示することはないように構成することができる。具体的には、所定の役としてリンゴの小役、第１の図柄組合せとしてリンゴの図柄−リンゴの図柄ーリンゴの図柄、第２の図柄としてリンゴの図柄−リンゴの図柄−リプレイの図柄およびリンゴの図柄−リンゴの図柄−ベルの図柄すなわち所定の役（リンゴの小役）に対応する図柄の組合せとしてこれら３種類の図柄の組合せをそれぞれ予め設定しているとすると、リンゴの役を当選役、停止番号として第１の停止番号を決定した遊技では、リンゴの図柄−リンゴの図柄ーリンゴの図柄の図柄を停止表示することはなく、停止番号として第２の停止番号を決定した遊技では、リンゴの図柄−リンゴの図柄−リプレイの図柄およびリンゴの図柄−リンゴの図柄−ベルの図柄の図柄を停止表示することはない。そのほかに、当選役が所定の役である場合に第１の停止番号または第２の停止番号の２つのうちから選択する可能性があるように停止番号選択テーブルを構成しているとすると、当選役が所定の役、停止番号が第１の停止番号の場合には所定の役に対応する図柄組合せのうちの第１の図柄組合せおよびハズレに対応する図柄組合せのうちの第１の図柄の組合せを停止表示する可能性がなく、停止番号が第２の停止番号の場合には所定の役に対応する図柄組合せのうちの第２の図柄組合せおよびハズレに対応する図柄組合せのうちの第２の図柄の組合せを停止表示する可能性がないといった設定とすることもできる。
【０１０９】
また、誤入賞エラー判定手段を、遊技開始指示手段が出力した遊技開始指示信号を入力してから、変動表示停止手段により最初に停止表示させた図柄表示手段に対応する停止指示手段が、遊技開始指示手段に最も近い停止指示手段である場合にのみ、誤入賞エラー判定手段が誤入賞エラーの判定を行うようにしてもよい。具体的には、特定の役をベルの小役とすると、ベルの小役に当選した遊技で、遊技開始指示手段（スタートレバーセンサ３２１）に最も近い左リール１１０を最初に停止制御した場合に、ベルの小役に対応する図柄組合せを入賞ライン１１４に沿って停止表示しなかった場合に誤入賞と判定するようにしてもよい。遊技中の多くの遊技者が現在主流のパチスロ機を遊技する場合、スタートレバー操作を行って遊技を開始した後、スタートレバーに近い左リールに対応する停止ボタン、中リールに対応する停止ボタン、最後にスタートレバーから最も遠い右リールに対応する停止ボタンを操作するといった一連の動作を行っている。そこで、スタートレバーの操作後、最初に左リールに対応する停止ボタンを操作した遊技のみに対して誤入賞エラーの判定をおこなうことで、パチスロ機の制御部の制御負荷を下げながら最大の効果を上げられる場合がある。上述の通り、遊技者の多くは、常に最初に左リールに対応する停止ボタンを操作するが、なかには、たまに別の停止ボタンを最初に操作するといった遊技者もおり、別の停止ボタンから操作した場合には、誤入賞エラーの判定をおこなわないので、その分制御量が減り、制御負荷を下げられる場合がある。このときリール上の図柄配列について左リール１１０を最初に停止制御した場合には、必ず特定の役に対応する図柄の組合せを停止できるように設定しておき、他のリール（例えば中、右）を最初に停止制御した場合には、特定のタイミングで各リールを停止操作しなかった場合には特定の役に対応する図柄の組合せを停止できないように設定していてもよい。
【０１１０】
ここで、必ず特定の役に対応する図柄の組合せを停止できるリール配列とは、引き込み制御手段が、前記特定の役に対応する前記図柄の組合せを構成する図柄を前記入賞ラインに沿って、常に停止表示させることができる間隔で、前記特定の役に対応する前記図柄の組合せを構成する図柄を前記回転リールの外周表面に配置していることで実現してもよい。
【０１１１】
また、遊技開始指示手段が出力した遊技開始指示信号を入力してから、変動表示停止手段により最初に停止表示させた回転リールが、全ての回転リールのうち、特定の役に対応する図柄の組合せを構成する図柄の表示数が最も少ない回転リールの場合にのみ、誤入賞エラー判定手段が誤入賞エラーの判定を行うようにしてもよい。例えば、特定の役をリンゴの小役、特定の役に対応する図柄の組合せをリンゴの図柄−リンゴの図柄−リンゴの図柄、左リール１１０の外周に表示したリンゴの図柄の数を３、中リール１１１が５、右リールが３とした場合であれば、左リール１１０または右リール１１２を最初に停止制御した場合にのみ誤入賞エラー判定手段が誤入賞エラーの判定を行い、中リール１１１を最初に停止制御した場合には誤入賞エラー判定手段による誤入賞エラーの判定を行わないようにしてもよい。また、左リール１１０を最初に停止制御した場合にのみ誤入賞エラー判定手段が誤入賞エラーの判定を行うようにしてもよい。特定の役に対応する図柄の組合せを構成する図柄を最も多く配置したリールを最初に停止させると、上述の図柄の停止位置に応じて、その他のリールの上述の図柄を停止させて特定の役を入賞させようとしても、その他のリールには上述の図柄が少ないため、上述の図柄を引き込めない場合がある。逆に上述の図柄を最も少なく配置したリールを最初に停止させると、上述の図柄の停止位置に応じて、その他のリールの上述の図柄を停止させられる場合がある。最も少なく配置したリールを最初に停止した場合のほうが、最も多く配置したリールを最初に停止した場合よりも特定の役を入賞させられることができる確率が高いので、特定の役に対応する図柄の組合せを構成する図柄を最も少なく配置したリールを最初に停止させた遊技にのみ誤入賞エラーの判定をおこなうことで、パチスロ機の制御部の制御負荷を下げながら最大の効果を上げられる場合がある。
【０１１２】
以上から、本発明の一態様に係る遊技台によれば、当選役を決定する当選役決定手段（例えば、ステップＳ２０）と、図柄を変動表示する図柄表示手段（例えば、左リール１１０、中リール１１１、右リール１１２）と、遊技者の図柄停止操作および前記当選役決定手段が決定した当選役に基づいて、前記図柄表示手段による図柄の変動表示を停止させる図柄停止手段（例えば、ステップＳ１５６）と、前記当選役決定手段が特定の役（例えば、ベルの小役）を当選役として決定した遊技において、前記図柄表示手段の表示結果が前記特定の役に対応しない場合に、誤入賞エラーと判定する誤入賞エラー判定手段（例えば、ステップＳ９０、Ｓ１００）と、を備えたことを特徴とする。
【０１１３】
ここで、当選役決定手段は、ステップＳ２０の当選役決定処理を一例として挙げたが、このステップに限定されるものではなく、ステップＳ２０の当選役決定処理及びステップＳ３０の停止テーブル決定処理を当選役決定手段としてもよい。すなわち、当選役を当選役決定処理により決定された当選役に限定せず、停止テーブル決定処理で決定される停止番号として適用してもよいものである（以下の態様における遊技台の当選役決定手段においても同様である）。また、複数の図柄表示手段は、主制御部３００により制御されるリール（リール１１０〜１１２）に限定されず、他の装置で構成されてもよく、例えば、副制御部４００により制御されるリール、液晶表示装置、ドット、ランプ、ＬＥＤなどで構成されていてもよい（以下の態様における遊技台の複数の図柄表示手段においても同様である）。
【０１１４】
また、本発明の別の態様に係る遊技台によれば、遊技開始を指示する遊技開始信号を出力する遊技開始指示手段（例えば、スタートレバーセンサ３２１）と、前記遊技開始指示手段が出力した前記遊技開始信号を入力した場合に、当選役を決定する当選役決定手段（例えば、ステップＳ２０）と、複数種類の図柄を順次繰り返し変動表示する複数の図柄表示手段（例えば、左リール１１０、中リール１１１、右リール１１２）と、前記遊技開始指示手段が出力した前記遊技開始信号を入力した場合に、前記複数の図柄表示手段の変動表示を開始する変動表示開始手段（例えば、ステップＳ６０）と、前記複数の図柄表示手段それぞれに対応し、前記複数の図柄表示手段による図柄の変動表示を個別に停止指示する停止指示信号を出力する停止指示手段（例えば、ストップボタンセンサ３２２）と、前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段（例えば、ステップＳ１５６）と、前記複数の図柄表示手段の所定の入賞ラインに沿って停止表示した図柄の組合せに対応する役を入賞役として決定する入賞役決定手段（例えば、ステップＳ８０）と、前記入賞役決定手段が決定した入賞役に基づいて、遊技価値を付与する遊技価値付与手段（例えば、ステップＳ１１０、Ｓ１２０）と、前記当選役決定手段が当選役として特定の役（例えば、ベルの小役）を決定した遊技において、前記入賞役決定手段が前記特定の役とは異なる役を入賞役として決定した場合には、誤入賞エラーと判定する誤入賞エラー判定手段（例えば、ステップＳ９０、Ｓ１００）と、を備えることを特徴とする。
【０１１５】
本態様の遊技台によれば、「特定の役になぜ入賞しなかったのか」といった違和感を遊技者に与えることがなくなり、遊技者に遊技台に対する遊技台の信頼性を向上させることが出来る場合がある。そうすると遊技者にその遊技台を遊技すれば必要以上の損をすることがなくなると感じさせることができ遊技台の商品性を向上させられる場合がある。誤入賞エラーの発生を遊技店員がしれば、当選役に対応する遊技価値を遊技台に代わって付与するなど、遊技者の損失発生を最大限防止することが可能になる場合がある。遊技台は電波が飛び交い、しかも不正防止のために基板・配線にノイズが帯電しやすい状況で使用される。そのため、ＲＡＭ破壊の発生により当選役を記憶していた領域がデータ化けしたり、無効な信号が信号線に乗ったためにリールの停止位置が制御指示とは異なったりといった予測および防止のできないエラーが遊技制御中に発生する可能性が大いにある。これらノイズなどの悪影響の被害を遊技者に負わせるのではなく、エラーと判定することで遊技者の損害を最低限にとどめられる場合がある。
【０１１６】
また、前記図柄表示手段は、外周表面に複数種類の前記図柄を等間隔に配置した回転リールであり、前記回転リールは、一定方向に回転することにより、前記図柄を順次繰り返し変動表示し、前記変動表示停止手段は、前記停止指示信号を入力した場合に、前記停止指示信号が示す停止指示位置から予め定められた最大コマ数の範囲内で、前記回転リールを滑らせて停止制御する引き込み制御手段（例えば、ステップＳ２５６）を備えてもよい。
【０１１７】
前記当選役決定手段が当選役として前記特定の役を決定した遊技において、前記引き込み制御手段が、前記特定の役に対応する前記図柄の組合せを構成する図柄を前記入賞ラインに沿って、常に停止表示させることができる間隔で、前記特定の役に対応する前記図柄の組合せを構成する図柄を前記回転リールの外周表面に配置するように構成してもよい。
【０１１８】
これにより、回転リール外周には特定の役が入賞となる図柄を、引き込み制御が可能な駒数の範囲内の間隔で全周に亘って複数駒表示しており、所定の図柄を引き込めば、入賞となる場合には必ず引き込むような制御構成になっていれば、特定の役が当選していれば遊技者による回転リール停止操作タイミングが適当か否かに関わらず、必ず特定の役が入賞することとなる。それにもかかわらず入賞が発生しなかった場合には、遊技者には理由が分からず、不信感を感じさせることとなり遊技の信頼性を低下させてしまう場合がある。当選役または停止番号に対応する停止制御、すなわち停止操作位置と停止位置との関係を図１４に示した停止テーブルに全て予め設定しておくといった停止制御方法をとった場合には、開発者のケアレスミスで停止テーブルに誤った数値を記録させてしまったことで特定の役に対応する図柄の組合せが入賞ライン１１４に沿って停止表示できない場合が可能性としてはあるが、その場合、遊技店にも信頼性の低いパチスロ機だと評価され、商品価値も下げてしまう場合がある。そういったこととならないように、このようなケースをエラーと判定し、エラー処理をおこなうことで、パチスロ機の信頼性を低下させることを防ぐことができる場合がある。
【０１１９】
また、前記誤入賞エラー判定手段は、前記変動表示手段が停止表示させたいずれかの前記図柄表示手段の図柄が、前記特定の役に対応する図柄組合せを構成する図柄でない場合には、誤入賞エラーと判定するようにしてもよい。
【０１２０】
これにより、例えば、特定のリールを特定の役に対応する前記図柄の組合せを構成する図柄を、前記引き込み制御が可能な駒数の範囲内の間隔で全周に亘って複数駒表示しているリールとした場合には、そのリールでは上述の図柄を引き込めるはずであるにも関わらず、引き込めなかった理由が遊技者には分からず、不信感を感じさせることとなり遊技の信頼性を低下させてしまう場合がある。その場合、遊技店にも信頼性の低いパチスロ機だと評価され、商品価値も下げてしまう場合がある。そういったこととならないように、このようなケースをエラーと判定し、エラー処理をおこなうことで、パチスロ機の信頼性を低下させることを防ぐことができる場合がある。
【０１２１】
また、本発明の別の態様に係る遊技台によれば、遊技開始を指示する遊技開始信号を出力する遊技開始指示手段（例えば、スタートレバーセンサ３２１）と、前記遊技開始指示手段が出力した前記遊技開始信号を入力した場合に、当選役を決定する当選役決定手段（例えば、ステップＳ２０）と、複数種類の図柄を順次繰り返し変動表示する複数の図柄表示手段（例えば、左リール１１０、中リール１１１、右リール１１２）と、前記遊技開始指示手段が出力した前記遊技開始信号を入力した場合に、前記複数の図柄表示手段の変動表示を開始する変動表示開始手段（例えば、ステップＳ６０）と、前記複数の図柄表示手段それぞれに対応し、前記複数の図柄表示手段による図柄の変動表示を個別に停止指示する停止指示信号を出力する停止指示手段（例えば、ストップボタンセンサ３２２）と、前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段（例えば、ステップＳ１５６）と、前記複数の図柄表示手段の所定の入賞ラインに沿って停止表示した図柄の組合せに対応する役を入賞役として決定する入賞役決定手段（例えば、ステップＳ８０）と、前記入賞役決定手段が決定した入賞役に基づいて、遊技価値を付与する遊技価値付与手段（例えば、ステップＳ１１０、Ｓ１２０）と、前記当選役決定手段が決定した当選役を報知する当選役報知手段（例えば、液晶表示装置１８０）と、前記当選役決定手段が当選役として特定の役を決定し、かつ前記当選役報知手段が、前記変動表示停止手段が前記複数の図柄表示手段を停止表示させる以前に当選役を報知した遊技において、前記入賞役決定手段が前記特定の役とは異なる役を入賞役として決定した場合には、誤入賞エラーと判定する誤入賞エラー判定手段（例えば、ステップＳ９０、Ｓ１００）と、を備えたことを特徴とする。
【０１２２】
これにより、報知を見た遊技者は、報知されたにも関わらず特定の役が入賞しなかった理由が遊技者には分からず、不信感を感じさせることとなり遊技の信頼性を低下させてしまう場合がある。その場合、遊技店にも信頼性の低いパチスロ機だと評価され、商品価値も下げてしまう場合がある。そういったこととならないように、このようなケースをエラーと判定し、エラー処理をおこなうことで、パチスロ機の信頼性を低下させることを防ぐことができる場合がある。
【０１２３】
また、本発明の別の態様に係る遊技台によれば、遊技開始を指示する遊技開始信号を出力する遊技開始指示手段と、乱数を生成する乱数生成手段（例えば、乱数発生回路３１７）と、当選役として決定する乱数の範囲を、複数種類の役について設定した当選判定情報（例えば、当選役抽選テーブル）と、前記特定の役を当選役として決定する乱数の範囲が第１の数値範囲と設定された第１の当選判定情報（例えば、当選役抽選テーブルの「ＲＢ遊技状態」列）、および前記特定の役を当選役として決定する乱数の範囲が前記第１の数値範囲よりも数値範囲の狭い第２の数値範囲である第２の当選判定情報を含む複数の前記当選判定情報（例えば、当選役抽選テーブルの「一般遊技状態」列）を記憶した当選判定情報記憶手段（例えば、ＲＯＭ３１２）と、前記遊技開始指示手段が出力した前記遊技開始信号を入力した場合に、前記当選判定情報記憶手段に記憶されている当選判定情報と前記乱数生成手段が生成した乱数を照合して当選役を決定する当選役決定手段（例えば、ステップＳ２０）と、複数種類の図柄を順次繰り返し変動表示する複数の図柄表示手段（例えば、左リール１１０、中リール１１１、右リール１１２）と、前記遊技開始指示手段が出力した前記遊技開始信号を入力した場合に、前記複数の図柄表示手段の変動表示を開始する変動表示開始手段（例えば、ステップＳ６０）と、前記複数の図柄表示手段それぞれに対応し、前記複数の図柄表示手段による図柄の変動表示を個別に停止指示する停止指示信号を出力する停止指示手段（例えば、ストップボタンセンサ３２２）と、前記停止指示手段が出力した前記停止指示信号を入力した場合に、前記当選役決定手段が決定した当選役に基づいて、前記停止指示信号に対応する前記図柄表示手段による図柄の変動表示を停止する変動表示停止手段（例えば、ステップＳ１５６）と、前記複数の図柄表示手段の所定の入賞ラインに沿って停止表示した図柄の組合せに対応する役を入賞役として決定する入賞役決定手段（例えば、ステップＳ８０）と、前記入賞役決定手段が決定した入賞役に基づいて、遊技価値を付与する遊技価値付与手段（例えば、ステップＳ１１０、Ｓ１２０）と、前記当選役決定手段が前記第２の当選判定情報を前記照合に用いて、ボーナス役を当選役として決定し、前記入賞役決定手段が前記ボーナス役を入賞役として決定した場合に、前記第１の当選判定情報を、特定の遊技期間、前記当選役決定手段が前記照合に用いる前記当選判定情報として、選択する当選判定情報選択手段（例えば、ステップＳ２０、Ｓ１２０）と、前記当選役決定手段が当選役として特定の役を決定した遊技において、前記入賞役決定手段が前記特定の役とは異なる役を入賞役として決定した場合には、誤入賞エラーと判定する誤入賞エラー判定手段（例えば、ステップＳ９０、Ｓ１００）と、前記特定の遊技期間中に、前記誤入賞エラー判定手段が誤入賞エラーと判定した場合には、判定結果を前記特定の遊技期間が終了後、所定の報知手段（例えば、ランプなど）から出力させるエラー報知制御手段（例えば、ＣＰＵ４１０）と、を備えたことを特徴とする。
【０１２４】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０１２５】
以上、本発明の実施形態を説明したが、具体例を例示したに過ぎず、特に本発明を限定するものではない。即ち、本発明は、当選役を決定する当選役決定手段と、図柄を変動表示する図柄表示手段と、遊技者の図柄停止操作および前記当選役決定手段が決定した当選役に基づいて、前記図柄表示手段による図柄の変動表示を停止させる図柄停止手段と、前記当選役決定手段が特定の役を当選役として決定した遊技において、前記図柄表示手段の表示結果が前記特定の役に対応しない場合に、誤入賞エラーと判定する誤入賞エラー判定手段と、を備えた構成であるが、当選役決定手段、図柄表示手段、図柄停止手段、誤入賞エラー判定手段などの手段の具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１２６】
【図１】本発明の実施形態に係るスロットマシンの外観を示す斜視図である。
【図２】本発明の実施形態に係るスロットマシンの主制御部の構成を示すブロック図である。
【図３】本発明の実施形態に係るスロットマシンの副制御部の構成を示すブロック図である。
【図４】本発明の実施形態に係るスロットマシンの各リールの図柄配列を示す図である。
【図５】本発明の実施形態に係るスロットマシンの入賞役に関する配当表を示す図である。
【図６】本発明の第実施形態に係るスロットマシンの主制御部メイン処理を示すフローチャートである。
【図７】本発明の実施形態に係るスロットマシンの主制御部割り込み処理を示すフローチャートである。
【図８】本発明の実施形態における当選役抽選テーブルの一例である。
【図９】本発明の実施形態における停止番号選択テーブルの一例である。
【図１０】本発明の実施形態における演出コマンド選択テーブルの一例である。
【図１１】図１０の演出コマンドに対応する演出内容を示す表である。
【図１２】図６のステップＳ９０の誤入賞エラー判定処理１を詳しく示すフローチャートである。
【図１３】本発明の実施形態に係るスロットマシンの誤入賞判定処理の変形例を示すフローチャートである。
【図１４】本発明の実施形態における停止テーブルの一例である。
【図１】
2007307108.tif 000003
【図２】
2007307108.tif 000004
【図３】
2007307108.tif 000005
【図４】
2007307108.tif 000006
【図５】
2007307108.tif 000007
【図６】
2007307108.tif 000008
【図７】
2007307108.tif 000009
【図８】
2007307108.tif 000010
【図９】
2007307108.tif 000011
【図１０】
2007307108.tif 000012
【図１１】
2007307108.tif 000013
【図１２】
2007307108.tif 000014
【図１３】
2007307108.tif 000015
【図１４】
2007307108.tif 000016